(57)【要約】【課題】手のひらに親指近傍の部位或いは親指の付け根部内側を係合せしめて相当大きな押圧力を加えても、外周縁部が手のひらに親指近傍の部位或いは親指の付け根部内側に食い込むことが可及的に回避され、従って殆ど痛みを感じることなく充分な押圧力を加えることができると共に良好な操作感で充分迅速にシリンダに収容されている流体を注出することを可能にするプランジャヘッド（２）を提供する。【解決手段】外面（１６）が押圧面を規定する頂壁（４、１０４）とこの頂壁（４、１０４）の対向する２個の側縁（６ａ、６ｂ、１０６ａ、１０６ｂ）から垂下する２個の側壁（８ａ、８ｂ、１０８ａ、１０８ｂ）を有する。頂壁（４、１０４）の外面（１６）の外周縁は面取りされている。【選択図】図１
2018157988.tif 000002
【特許請求の範囲】
【請求項１】
外面が押圧面を規定する頂壁と、該頂壁の対向する２個の側縁から垂下する２個の側壁とを有し、該頂壁の該外面の外周縁は面取りされている、ことを特徴とするプランジャヘッド。
【請求項２】
該頂面の該外面は面取りされた該外周縁を除いて平面であり、該側壁の外面は該平面に対して垂直に垂下する、請求項１記載のプランジャヘッド。
【請求項３】
該頂壁の該平面と該側壁の先端との間隔は３．０乃至１５．０ｍｍである、請求項２記載のプランジャヘッド。
【請求項４】
該頂壁の表面積は２５０乃至２５００ｍｍ２である、請求項１から３までのいずれかに記載のプランジャヘッド。
【請求項５】
該頂壁の該外面は長手方向の長さＬ１と該長手方向に対して直角をなす幅方向の長さＬ２との比Ｌ１：Ｌ２が１．１：１．０乃至４．０：１．０である細長面であり、該２個の側壁の延在方向は該頂壁の該外面の該長手方向である、請求項１から４までのいずれかに記載のプランジャヘッド。
【請求項６】
該頂壁の両側縁は凸弧状に延び、該頂壁の該外面の幅は中央から両端に向かって漸次低減している、請求項１から５までのいずれかに記載のプランジャヘッド。
【請求項７】
該外面の該両側縁の中間部における面取りは横断面において０．５乃至５００．０ｍｍの曲率半径を有する弧状であり、該外面の該両側縁の面取り幅は該長手方向中央において２．０乃至１０．０ｍｍであり、該長手方向両側に向かって漸次低減されている、請求項６記載のプランジャヘッド。
【請求項８】
該頂壁の片端縁から垂下する１個の端壁を有する、請求項１から７までのいずれかに記載のプランジャヘッド。
【請求項９】
ショアＡ硬度が１０乃至９５であるエラストマーから形成されている、請求項１から８までのいずれかに記載のプランジャヘッド。
【請求項１０】
該頂壁の両端縁から垂下する２個の端壁と底壁とを含み、該側壁及び該端壁は相互に接続されていて連続して環状に延在し、該底壁は該側壁及び該端壁の下端縁に接続されており、該底壁の中央部には装着開口が形成されている、請求項１から７までのいずれかに記載のプランジャヘッド。
【請求項１１】
弾性変形可能な柔軟な材料から形成されている、請求項１０記載のプランジャヘッド。
【請求項１２】
プランジャとは別個に成形され、並列配置された２個のプランジャと共に平板形態の共通押圧ヘッドが一体に形成されている２連式プランジャの該押圧ヘッドに着脱自在に装着される、請求項１から１１までのいずれかに記載のプランジャヘッド。
【発明の詳細な説明】
【技術分野】
【０００１】
本発明は、シリンジにおけるシリンダ内にプランジャを進入せしめる際に手の一部が係合されるプランジャヘッドに関する。
【背景技術】
【０００２】
ペースト状歯科材料の如き流体を適宜に注出するための器具として、シリンダとこのシリンダに対して進入自在に組み合わされたプランジャとから構成されたシリンジが広く実用に供されている。下記特許文献１には、１個のシリンダと１個のプランジャとから構成されたシリンジが開示されており、下記特許文献２及び３には、並列配置された２連のシリンダと並列配置された２連のプランジャとから構成された２連式シリンジが開示されている。２連式シリンジにおいては、２連のシリンダの各々には異なった流体が収容され、各々のシリンダから注出された流体が混合されて使用される。プランジャには平板形状の押圧ヘッドが一体に形成されており、シリンダに収容されている流体を注出する際には、手の一部を押圧ヘッドに係合せしめてプランジャに押圧力を加えてプランジャをシリンダ内に進入せしめる。
【先行技術文献】
【特許文献】
【０００３】
【特許文献１】特開２００８−１９４３１７号公報
【特許文献２】特開２０１４−１８３４３号公報
【特許文献３】特開２０１５−１７７９０８号公報
【発明の概要】
【発明が解決しようとする課題】
【０００４】
上述したとおりのシリンジにおいて、シリンダ内に収容されている流体の粘度が比較的高い或いはシリンダの内容積が比較的大きい等に起因して注出抵抗が比較的大きく、プランジャをシリンダ内に進入せしめる際には相当大きな圧力を押圧ヘッドに加えることが必要な場合、指先ではなくて手のひらの親指近傍部位或いは親指の付け根部内側を押圧ヘッドに係合せしめることが少なくない。然るに、従来のシリンジにおいては、プランジャの押圧ヘッドが平板形態である故に、押圧ヘッドに手のひらの親指近傍部位或いは親指の付け根部内側を係合せしめて押圧力を加えると、押圧ヘッドの外周縁部が手のひらの親指近傍部位或いは親指の付け根部内側に食い込むことに起因して相当な痛みを感じ、充分な押圧力を加えることが容易でなく、注出に時間を要し所謂操作感が良好でない、という問題がある。
【０００５】
本発明は上記のとおりの事実に鑑みてなされたものであり、その主たる技術的課題は、手のひらに親指近傍の部位或いは親指の付け根部内側を係合せしめて相当大きな押圧力を加えても、外周縁部が手のひらの親指近傍の部位或いは親指の付け根部内側に食い込むことが可及的に回避され、従って殆ど痛みを感じることなく充分な押圧力を加えることができると共に良好な操作感で充分迅速にシリンダに収容されている流体を注出することを可能にする、新規且つ改良されたプランジャヘッドを提供することである。
【課題を解決するための手段】
【０００６】
本発明者等は、鋭意検討の結果、外面が押圧面を規定する頂壁とこの頂壁の対向する２個の側縁から垂下する２個の側壁を有し、頂壁の外面の外周縁は面取りされている形態のプランジャヘッドによって、上記主たる技術的課題を達成することができることを見出した。
【０００７】
即ち、本発明によれば、上記主たる技術的課題を達成するプランジャヘッドとして、外面が押圧面を規定する頂壁と、該頂壁の対向する２個の側縁から垂下する２個の側壁とを有し、該頂壁の該外面の外周縁は面取りされている、ことを特徴とするプランジャヘッドが提供される。かようなプランジャヘッドは、プランジャとは別個に成形して平板形態の押圧ヘッドを有するプランジャの押圧ヘッドに着脱自在に装着することができ、或いはこれに代えてプランジャの押圧端に一体に形成することができる。
【０００８】
該頂面の該外面は面取りされた該外周縁を除いて平面であり、該側壁の外面は該平面に対して垂直に垂下するのが好都合である。該頂壁の該平面と該側壁の先端との間隔は３．０乃至１５．０ｍｍであるのが好ましく、該頂壁の表面積は２５０乃至２５００ｍｍ２であるのが好ましい。好適には、該頂壁の該外面は長手方向の長さＬ１と該長手方向に対して直角をなす幅方向の長さＬ２との比Ｌ１：Ｌ２が１．１：１．０乃至４．０：１．０である細長面であり、該２個の側壁の延在方向は該頂壁の該外面の該長手方向である。該頂壁の両側縁は凸弧状に延び、該頂壁の該外面の幅は中央から両端に向かって漸次低減しているのが好ましい。該外面の該両側縁の中間部における面取りは横断面において０．５乃至５００．０ｍｍの曲率半径を有する弧状であり、該外面の該両側縁の面取り幅は該長手方向中央において２．０乃至１０．０ｍｍであり、該長手方向両側に向かって漸次低減されているのが望ましい。該頂壁の片端縁から垂下する１個の端壁を有するのが好適である。ショアＡ硬度が１０乃至９５であるエラストマーから形成されているのが好ましい。他の好適形態においては、該頂壁の両端縁から垂下する２個の端壁と底壁とを含み、該側壁及び該端壁は相互に接続されていて連続して環状に延在し、該底壁は該側壁及び該端壁の下端縁に接続されており、該底壁の中央部には装着開口が形成されている。かかる好適形態は弾性変形可能な柔軟な材料から形成されているのが望ましい。好適実施形態においては、プランジャとは別個に成形され、並列配置された２個のプランジャと共に平板形態の共通押圧ヘッドが一体に形成されている２連式プランジャの該押圧ヘッドに着脱自在に装着される。
【発明の効果】
【０００９】
本発明のプランジャヘッドによれば、外面が押圧面を規定する頂壁に加えて、頂壁の少なくとも対向する２個の側縁から垂下する少なくとも２個の側壁を有すると共に、頂壁の外面の外周縁は面取りされている故に、手のひらに親指近傍の部位或いは親指の付け根部内側を頂壁の外面即ち押圧面に係合せしめて相当大きな押圧力を加えても、頂壁の外面外周縁部が手のひらに親指近傍の部位或いは親指の付け根部内側に食い込むことが可及的に回避され、従って殆ど痛みを感じることなく充分な押圧力を加えることができると共に良好な操作感で充分迅速にシリンダに収容されている流体を注出することが可能である。
【図面の簡単な説明】
【００１０】
【図１】本発明に従って構成されたプランジャヘッドの好適実施形態を示す斜面図。
【図２】図１のプランジャヘッドの平面図。
【図３】図１のプランジャヘッドの底面図。
【図４】図１のプランジャヘッドの正面図。
【図５】図１のプランジャヘッドの背面図。
【図６】図１のプランジャヘッドの側面図。
【図７】図４の線Ａ−Ａに沿った断面図。
【図８】図１のプランジャヘッドを２連式シリンジにおける２連式プランジャの板状押圧ヘッドに装着した状態を示す斜面図。
【図９】図８に図示するシリンジの一使用様式を説明するための斜面図。
【図１０】図８に図示するシリンジの他の使用様式を説明するための斜面図。
【図１１】図８に図示するシリンジの更に他の使用様式を説明するための斜面図。
【図１２】本発明に従って構成されたプランジャヘッドの他の好適実施形態を示す斜面図。
【図１３】図１２に示すプランジャヘッドを倒立状態で示す斜面図。
【発明を実施するための形態】
【００１１】
以下、本発明に従って構成されたプランジャヘッドの好適実施形態を図示している添付図面を参照して、更に詳述する。
【００１２】
図１乃至図７を参照して説明すると、全体を番号２で示す本発明に従って構成されたプランジャヘッドは、適宜の材料から形成することができるが、ショアＡ硬度が１０乃至９５であるエラストマーから形成されているのが好ましい。かかるプランジャヘッド２は、頂壁４と共にこの頂壁４の対向する２個の側縁６ａ及び６ｂから垂下する２個の側壁８ａ及び８ｂを有することが重要である。図示の実施形態においては、プランジャヘッド２はその片端縁１０ａから垂下する端壁１２ａも含んであり、そして更に側壁８ａ及び８ｂ並びに端壁１２ａの先端即ち下端から内方に延出する底壁１４も含んでいる。
【００１３】
頂壁２の外面１６は全体として細長面、即ちその長手方向の長さＬ１（図２）が長手方向に対して直角をなす幅方向の長さＬ２（図２）よりも大きい面であるのが好適であり、特にＬ１：Ｌ２は１．１：１．０乃至４．０：１．０であるのが好ましい。所望ならば、頂壁２の外面１６を、側壁８ａ及び８ｂが延在する方向の長さＬ１が短壁１２ａが延在する方向の長さＬ２よりも小さい細長面とすることもできる。後に更に言及するとおり、外面１６は手の所要部位が係合されて押圧力が加えられる押圧面を規定する。外面１６の両端縁１０ａ及び１０ｂは実質上直線状に延在しているが、外面１６の両側縁６ａ及び６ｂは直線状ではなくて凸弧状に延び、即ち長手方向中央から両端に向かって漸次内方に弧状に延び、外面１６の幅は中央から両端に向かって漸次低減しているのが好ましい（特に図２を参照されたい）。頂壁４の表面積（従って外面１６の面積）は、２５０乃至２５００ｍｍ２、特に３００乃至２０００ｍｍ２程度であるのが好適である。
【００１４】
頂壁４の外面１６の外周縁部は面取りされていることが重要である。図示の実施形態においては、図１、図２及び図６を参照することによって明確に理解されるとおり、外面１６の両側縁６ａ及び６ｂの両端部並びに両端縁１０ａ及び１０ｂの全体における面取り幅ｗは比較的小さくて０．５乃至５．０ｍｍ程度であるが、両側縁６ａ及び６ｂの中央部における面取り幅ｗは比較的大きく、中央において２．０乃至１０．０ｍｍ程度の最大面取り幅を有し、両端部に向かって漸次低減されている。頂壁４の外面１６は、面取りされた外周縁を除いて平面であるのが好適である。両側縁６ａ及び６ｂの中央部における面取りは横断面において曲率半径が２．０乃至５００．０ｍｍである弧状であるのが好適である。外面１６の両側縁６ａ及び６ｂの両端部並びに両端縁１０ａ及び１０ｂの全体における面取りも、横断面において曲率半径が０．５乃至５００．０ｍｍである弧状であるのが好都合である。
【００１５】
上記側壁８ａ及び８ｂ並びに上記端壁１２ａは頂壁４の外面１６における平面（即ち面取りされた外周縁を除いた部分）に対して実質上垂直に垂下しているのが好適である。頂壁４の外面１６における平面と側壁８ａ及び８ｂ並びに端壁１２ａの先端即ち下端との間隔は３．０乃至１５．０ｍｍ程度であるのが好適である。図４及び図５を参照することによって理解される如く、図示の実施形態においては、端壁１２ａ垂下長さは側壁８ａ及び８ｂの垂下長さよりも若干長い。
【００１６】
図３を参照することによって明確に理解されるとおり、底壁１４は全体としてＵ字形状であり、その外周縁部には複数個の開口１８が形成されている。複数個の開口１８は適宜の間隔をおいて配設されており、全体として略Ｕ字形状に連なっている。かような複数個の開口１８は使用材料の低減及び成形時のひずみ発生回避の点等から好適なものである。図４及び図６を参照することによって理解されるとおり、底壁１４の両側部は内側に向かって下方に幾分傾斜している。図６及び図７に図示するとおり、底壁１４の両側部の内面即ち上面上には、端壁１２ａに近接して位置する隆起部２０が形成され、そしてまた流機器隆起部２０に対して間隔をおいて係止突起２２が形成されているのが好都合である。
【００１７】
図８は図１乃至図７を参照して説明した上述したとおりのプランジャヘッド２の使用様式を図示している。プランジャヘッド２は、２点鎖線で示す２連式シリンジ２４に適用される。２連式シリンジ２４は２連式シリンダ２６と２連式プランジャ２８とを具備している。並列配置された２個のシリンダを有する２連式シリンダ２６の基端には図８において上方及び下方に突出するフランジ３０が一体に形成されている。２連式シリンダ２６の先端には２個のシリンダから注出される流体を混合して流出するための混合流出部３２が装着されている。一方、並列配置された２個のプランジャが一体に形成されている２連式プランジャ２８の一端には平板形態の共通押圧ヘッド３４が一体に形成されている。略楕円形状の共通押圧ヘッド３４の内面における横方向中間部の上半部及び下半部の各々には、上下方向に延びる係止突条３６が形成されている。かような２連式シリンジ２４自体は当業者には周知の形態であるので、その構成の詳細については本明細書においては省略する。
【００１８】
本発明に従って構成された上述したとおりのプランジャヘッド２は、２連式シリンジ２４の２連式プランジャ２８に配設されている平板形態の共通押圧ヘッド３４に着脱自在に装着される。更に詳しくは、プランジャヘッド２における端壁が存在しない側に規定されている開口部（図１を参照されたい）を通して、共通押圧ヘッド３４をプランジャヘッド２の頂壁４、両側壁８ａ及び８ｂ、底壁１４で囲繞された空間内に収容して、共通押圧ヘッド３４に対してプランジャヘッド２を図８に図示する位置まで移動する。かくすると、共通押圧ヘッド３２に形成されている係止突条３６が、プランジャヘッド２の底壁１４に形成されている係止突起２２を弾性的に乗り越えて係止突起２２と隆起部２０との間に拘束され、かくして共通押圧ヘッド３４にプランジャヘッド２が着脱自在に装着される。
【００１９】
プランジャヘッド２が所要とおりに適用された２連式シリンジ２４は、例えば次のとおりの様式で使用することができる。比較的小さい力で２連式プランジャ２８を２連式シリンダ２２内に進行せしめて２連式シリンダ２６から流体を流出せしめる際には、図９に図示する如く、２連式シリンダ２６に配設されているフランジ３０に人差し指と中指とを係止せしめると共に、２連式プランジャ２８に装着されたプランジャヘッド２の頂壁４の外面１６に親指の先端内側を当接せしめ、プランジャヘッド２に押圧力を加えて２連式プランジャ２８を進行せしめる。他方、２連式プランジャ２８を２連式シリンダ２６内に進行せしめて２連式シリンダ２６から流体を流出せしめるのに比較的大きい力を加えることが必要な場合には、図１０に図示するとおり、親指の先端内側に代えて手のひらの親指近傍部位をプランジャヘッド２の頂壁４の外面１６に当接せしめてプランジャヘッド２に押圧力を加える。或いは、図１１に図示する如く、親指の付け根部内側をプランジャヘッド２の頂壁４の外面１６に当接せしめてプランジャヘッド２に押圧力を加える。而して、本発明に従って構成されたプランジャヘッド２においては、頂壁４の外面１６の外周縁が面取りされていると共に頂壁４の両側縁６ａ及び６ｂから垂下する２個の側壁８ａ及び８ｂが配設され、頂壁４の外面１６の外周縁に鋭い角が存在しないと共に側面の厚さが比較的大きく、それ故にプランジャヘッド２の特定部位が手のひらの親指近傍部位或いは親指の付け根部内側に食い込むことが可及的に回避され、２連式プランジャ２８を進行せしめるのに比較的大きな押圧力を必要とする場合でも痛みを感じ難く良好な操作感で充分迅速に２連シリンダ２２に収容されている流体を流出せしめることができる。
【００２０】
図１２及び図１３には本発明に従って構成されたプランジャヘッドの他の好適実施形態が図示されている。全体を番号１０２で示すプランジャは、頂壁１０４の２個の側縁１０６ａ及び１０６ｂから垂下する２個の側壁１０８ａ及び１０８ｂに加えて、頂壁１０４の２個の端縁１１０ａ及び１１０ｂから垂下する２個の端壁１１２ａ及び１１２ｂを有する。側壁１０８ａ及び１０８ｂ並びに端壁１１２ａ及び１１２ｂの垂下長さは実質上同一でよい。側壁１０８ａ及び１０８ｂ並びに端壁１１２ａ及び１１２ｂは相互に接続されていて連続して環状に延在する。側壁１０８ａ及び１０８ｂ並びに端壁１１２ａ及び１１２ｂの下端縁には底壁１１４が接続されている。この底壁１１４の中央部には装着開口１１５が形成されている。装着開口１１５は、共通押圧ヘッド３４（図８を参照させたい）と相似形状であり、共通押圧ヘッド３４よりも若干小さいのが好都合である。プランジャヘッド１０２は弾性変形可能な柔軟な材料、例えばシリコーンゴムの如きエラストマーから形成されているのが好適である。
【００２１】
図１２及び図１３に図示するプランジャヘッド１０２は、所要部位を適宜に弾性変形させることによって、その装着開口１１５を通して共通押圧ヘッド３４を収容することによって共通押圧ヘッド３４に被嵌することができる。プランジャヘッド１０２の上述した構成及び使用様式を除いて、プランジャヘッド１０２は図１乃至図１１を参照して説明したプランジャヘッド２と実質上同一である。
【００２２】
以上、添付図面を参照して本発明に従って構成されたプランジャヘッドの好適実施形態について詳細に説明したが、本発明はかかる実施形態に限定されるものではなく、本発明の範囲を逸脱することなく種々の変形或いは修正が可能であることは多言を要しない。
【００２３】
例えば、上述した実施形態においては、プランジャとは別個にプランジャヘッドを形成してプランジャの押圧ヘッドにプランジャヘッドを着脱自在に装着しているが、所望ならばプランジャの平板形状の押圧ヘッドに代えて本発明に従って構成されたプランジャヘッデをプランジャと一体に形成することもできる。また、２連式のシリンジに関連せしめて本発明のプランジャヘッドを説明したが、多言するまでもなく本発明のプランジャヘッドは１連式のシリンジにも適用することもができる。更に、上述した実施形態においては頂壁の外面は横長形状で且つ両側縁は凸弧状であるが、頂壁の外面はかような形態に限定されるものではなく、全体として円形、楕円形或いは矩形であってもよい。また、上述した実施形態においては頂壁の外面における面取りされた外周縁を除いて平面であるが、所望ならば曲率半径が比較的大きい凹状面或いは凸状面にすることもできる。
【００２４】
２：プランジャヘッド
４：頂壁
６ａ：頂壁の側縁
６ｂ：頂壁の側縁
８ａ：側壁
８ｂ：側壁
１０ａ：頂壁の端縁
１０ｂ：頂壁の端壁
１２ａ：端壁
１４：底壁
１６：頂壁の外面
１８：開口
２０：隆起部
２２：係止突起
２４：２連式シリンジ
２６：２連式シリンダ
２８：２連式プランジャ
３０：フランジ
３２：混合流出部
３４：２連式プランジャの共通押圧ヘッド
３６：係止突条
１０２：プランジャヘッド
１０４：頂壁
１０６ａ：頂壁の側縁
１０６ｂ：頂壁の側縁
１０８ａ：側壁
１０８ｂ：側壁
１１０ａ：頂壁の端縁
１１０ｂ：頂壁の端壁
１１２ａ：端壁
１１２ｂ：端壁
１１４：底壁
１１５：装着開口
【図１】
2018157988.tif 000003
【図２】
2018157988.tif 000004
【図３】
2018157988.tif 000005
【図４】
2018157988.tif 000006
【図５】
2018157988.tif 000007
【図６】
2018157988.tif 000008
【図７】
2018157988.tif 000009
【図８】
2018157988.tif 000010
【図９】
2018157988.tif 000011
【図１０】
2018157988.tif 000012
【図１１】
2018157988.tif 000013
【図１２】
2018157988.tif 000014
【図１３】
2018157988.tif 000015